(57)【要約】【課題】シリンダボアの真円度を確保できるオープンデッキ型シリンダブロックを提供する。【解決手段】シリンダボア１２と、シリンダボア１２の周囲に設けられ、シリンダヘッドが配置されるデッキ面１０ｕに開口するウォータジャケット１４とを備えるオープンデッキ型シリンダブロック１であって、シリンダボア１２とウォータジャケット１４との間の壁部５０は、シリンダボア１２の内面を形成するシリンダライナ２０を有し、厚さが厚い厚肉部５２と、厚肉部５２よりもデッキ面１０ｕ側に位置し、シリンダボア１２の内面を形成するシリンダブロック本体部１０を有し、厚肉部５２よりも厚さが薄い薄肉部５４とを備える。【選択図】図１
2018071429.tif 000002
【特許請求の範囲】
【請求項１】
シリンダボアと、
前記シリンダボアの周囲に設けられ、シリンダヘッドが配置されるデッキ面に開口するウォータジャケットとを備えるオープンデッキ型シリンダブロックであって、
前記シリンダボアと前記ウォータジャケットとの間の壁部は、
前記シリンダボアの内面を形成するシリンダライナを有し、厚さが厚い厚肉部と、
前記厚肉部よりも前記デッキ面側に位置し、前記シリンダボアの内面を形成するシリンダブロック本体部を有し、前記厚肉部よりも厚さが薄い薄肉部とを備えるオープンデッキ型シリンダブロック。
【発明の詳細な説明】
【技術分野】
【０００１】
本発明は、シリンダボアの周囲に設けられるウォータジャケットがシリンダブロックのデッキ面に開口するオープンデッキ型シリンダブロックに関する。
【背景技術】
【０００２】
特許文献１には、シリンダボアとウォータジャケットとの間の隔壁（シリンダ壁部）に、シリンダボアの周方向における所定位置で肉厚が局所的に厚くなる偏肉部を備えるオープンデッキ型シリンダブロックが開示されている。この偏肉部は、シリンダヘッドが配置されるアッパデッキ（デッキ面）側に位置する部分ほど偏肉量が小さく設定されている。つまり、シリンダ壁部は、デッキ面側に厚さが薄い薄肉部を備える。
【０００３】
シリンダボアの内面には、シリンダボア内に収容されるピストンの摺動を円滑にすると共に耐摩耗性や耐衝撃性を高めるために、シリンダライナが設けられることが多い。特許文献１では、シリンダボアの軸方向の略全長に亘ってシリンダライナが鋳込まれて配置されている（特許文献１の図４を参照）。
【先行技術文献】
【特許文献】
【０００４】
【特許文献１】特開２００８−６４０２５号公報
【発明の概要】
【発明が解決しようとする課題】
【０００５】
シリンダ壁部のデッキ面側に薄肉部を備える場合、シリンダブロックにシリンダヘッドを組み付ける際のヘッドボルトの締め付け時に、その締付力に起因した応力が薄肉部に作用する虞がある。特許文献１に記載の技術のように、シリンダライナがシリンダボアの軸方向の略全長に亘る領域、つまり薄肉部の領域にまで設けられる場合、薄肉部に応力が作用すると、その応力によりシリンダライナがその軸方向に複雑に変形し、真円度が悪化する虞がある。
【０００６】
そこで、本発明の目的の一つは、シリンダライナの真円度を確保できるオープンデッキ型シリンダブロックを提供することにある。
【課題を解決するための手段】
【０００７】
本発明の一態様に係るオープンデッキ型シリンダブロックは、
シリンダボアと、
前記シリンダボアの周囲に設けられ、シリンダヘッドが配置されるデッキ面に開口するウォータジャケットとを備えるオープンデッキ型シリンダブロックであって、
前記シリンダボアと前記ウォータジャケットとの間の壁部は、
前記シリンダボアの内面を形成するシリンダライナを有し、厚さが厚い厚肉部と、
前記厚肉部よりも前記デッキ面側に位置し、前記シリンダボアの内面を形成するシリンダブロック本体部を有し、前記厚肉部よりも厚さが薄い薄肉部とを備える。
【発明の効果】
【０００８】
上記オープンデッキ型シリンダブロックは、薄肉部に応力（ヘッドボルトの締付力に起因した応力等）が作用した場合、その応力により薄肉部が変形したとしても、シリンダライナが変形することを抑制でき、シリンダライナの真円度を確保できる。シリンダライナは、厚肉部に配置されて、厚肉部におけるシリンダボアの内面を形成しているが、薄肉部には配置されていないからである。シリンダライナは、シリンダボア内に収容されるピストンの摺動を円滑にするものであり、ピストンの外周に設けられるピストンリングとの摺動面には設けられる。シリンダボアのうち最も高精度な真円度を要するシリンダライナの真円度を確保できることで、シリンダボアとピストンリング（コンプレッションリング）との間の気密性を確保でき、ブローバイガス量（シリンダライナとピストンリングとのクリアランスを吹き抜ける燃焼ガス量）を低減できる。またシリンダボア内面に付着する潤滑油をピストンリング（オイルリング）でかき落とすことができる。
【０００９】
上記オープンデッキ型シリンダブロックは、シリンダライナによりシリンダボアの内面が形成される領域が厚肉部となっていることで、シリンダライナとピストンとの摺動に伴い厚肉部自体が変形することを抑制でき、シリンダライナの真円度を確保できる。一方、デッキ面側の領域が薄肉部となっていることで、シリンダブロック及びシリンダヘッドで構成される燃焼室の周辺に位置する領域の冷却性能を確保でき、ノッキングを抑制できる。燃焼室は熱源の中心となるため、壁部の温度勾配は、デッキ面側からデッキ面と反対側に向かって低くなる。よって、デッキ面側の領域が薄肉部となっていることで、高温となる領域をウォータジャケットにより効率的に冷却できる。また、高温となる薄肉部にシリンダライナが配置されていないため、シリンダライナが熱によって変形することを抑制できる。
【図面の簡単な説明】
【００１０】
【図１】実施形態のオープンデッキ型シリンダブロックを示す概略断面図である。
【図２】変形例のオープンデッキ型シリンダブロックを示す概略部分断面図である。
【発明を実施するための形態】
【００１１】
本発明のオープンデッキ型シリンダブロックの実施形態を以下に図１を参照しつつ説明する。
【００１２】
オープンデッキ型シリンダブロック１（以下、単にシリンダブロック１と呼ぶことがある）は、シリンダボア１２と、シリンダボア１２の周囲に設けられ、シリンダヘッド（図示せず）が配置されるデッキ面１０ｕに開口するウォータジャケット１４とを備える。シリンダブロック１は、例えばアルミニウム合金を鋳造により成形したシリンダブロック本体部１０で構成され、このシリンダブロック本体部１０に、シリンダボア１２及びウォータジャケット１４を備える。シリンダボア１２の内面の一部は、シリンダライナ２０で構成される。本実施形態のオープンデッキ型シリンダブロック１は、シリンダボア１２とウォータジャケット１４との間の壁部５０が、シリンダボア１２の内面を形成するシリンダライナ２０を有する厚肉部５２と、厚肉部５２よりもデッキ面１０ｕ側に位置し、シリンダボア１２の内面を形成するシリンダブロック本体部１０を有する薄肉部５４とを備える点を特徴の一つとする。
【００１３】
シリンダボア１２は、往復動するピストン２を収納する空間で、シリンダブロック本体部１０に円筒状に形成された部分である。このシリンダボア１２の内面は、デッキ面１０ｕ側の領域がシリンダブロック本体部１０により形成され、それ以外の領域がシリンダライナ２０により形成されている。シリンダライナ２０は、例えば鉄製の円筒状部材であり、シリンダブロック本体部１０に鋳込まれることで、シリンダブロック本体部１０に保持されている。
【００１４】
ウォータジャケット１４は、シリンダブロック本体部１０において、シリンダボア１２の周囲に形成され、冷却水が供給される冷却水路となっている。ウォータジャケット１４は、シリンダボア１２のほぼ全周を囲むように形成されている。ウォータジャケット１４は、シリンダブロック本体部１０のデッキ面１０ｕ側からその反対側に向かって窪んだ溝部で構成されている。
【００１５】
シリンダボア１２とウォータジャケット１４との間の壁部５０は、シリンダボア１２の軸方向に沿って、デッキ面１０ｕ側に薄肉部５４と、それ以外の部分に厚肉部５２とを備える。シリンダブロック１及びシリンダヘッドで構成される燃焼室（図示せず）は、内燃機関の運転時に最も高温となる。そのため、壁部５０は、内燃機関の運転時に、デッキ面１０ｕからその反対側に向かって低くなる温度勾配を有することになる。よって、相対的に厚肉部５２を厚くして薄肉部５４を薄くすることで、厚肉部５２の過度の冷却を抑制し、薄肉部５４を効率よく冷却でき、壁部５０をその長手方向にほぼ一様に冷却できる。そうすることで、シリンダボア１２内面に付着する潤滑油の粘度を適正に保つことができる。壁部５０のうち最も高温となるデッキ面１０ｕ側の領域を薄肉部５４とし、それ以外の領域を厚肉部５２とすることで、高温となる領域をウォータジャケット１４により効率的に冷却でき、かつ壁部５０の剛性を確保できる。厚肉部５２及び薄肉部５４の各厚さや各長さ（シリンダボア１２の軸方向に沿った長さ）は、壁部５０の冷却性及び剛性を考慮して適宜選択できる。
【００１６】
厚肉部５２は、シリンダボア１２の内面を形成するシリンダライナ２０と、シリンダライナ２０を保持するシリンダブロック本体部１０とを有する。本例では、厚肉部５２は、シリンダボア１２の内面のうちデッキ面１０ｕ側の若干の領域がシリンダブロック本体部１０により形成されている。この場合、厚肉部５２と後述する薄肉部５４との境界は、シリンダライナ２０のデッキ面側端部２０ｕよりもデッキ面１０ｕ側に位置することになる。
【００１７】
シリンダライナ２０は、シリンダボア１２内に収容されるピストン２の摺動を円滑にするものであり、少なくともピストン２の外周に配置されるピストンリング３との摺動面に設けられる。ピストンリング３は、一般的にピストン２の頂部に近い方からトップリング３１、セカンドリング３２、及びオイルリング３３の順に配置される三つのリングから構成される。よって、シリンダライナ２０のデッキ面側端部２０ｕは、ピストン２が上死点に位置したときにおけるトップリング３１の位置よりもデッキ面１０ｕ側に位置する。そのため、厚肉部５２の大部分が、シリンダライナ２０によりシリンダボア１２の内面が形成される。
【００１８】
厚肉部５２のうち、シリンダライナ２０によりシリンダボア１２の内面が形成される領域は、シリンダボア１２の軸方向に沿って切断した切断面（図１を参照）において、シリンダボア１２側にシリンダライナ２０が配置され、ウォータジャケット１４側にシリンダブロック本体部１０が配置される二層構造となっている。シリンダライナ２０が厚肉部５２に配置されることで、シリンダライナ２０とピストン２との摺動に伴い厚肉部５２自体が変形することを抑制でき、シリンダライナ２０の真円度を確保できる。
【００１９】
薄肉部５４は、シリンダボア１２の内面を形成するシリンダブロック本体部１０を有し、シリンダライナ２０は有さない。つまり、薄肉部５４は、シリンダブロック本体部１０のみで構成されている。よって、薄肉部５４は、シリンダボア１２の軸方向に沿って切断した切断面（図１を参照）において、シリンダブロック本体部１０で構成される単層構造となっている。
【００２０】
本例では、薄肉部５４は、デッキ面１０ｕ側で厚さが一定の均一領域５４ａと、均一領域５４ａと厚肉部５２とを結ぶ傾斜領域５４ｂとを備える。傾斜領域５４ｂは、厚肉部５２側からデッキ面１０ｕ側に向かうに従って、外周側から内周側に厚みが薄くなる傾斜面で構成されている。そうすることで、燃焼室により近い領域の厚さを薄くでき、薄肉部５４の冷却性能を確保し易い。
【００２１】
上述した厚肉部５２及び薄肉部５４は、シリンダボア１２の周方向に沿った少なくとも一部の領域に設けられる。複数のシリンダボア１２を有する場合、隣り合うシリンダボア１２間の領域を除いて形成される複数のシリンダボア１２を包括する周方向に沿った領域に設けられることが挙げられる。また、この包括する周方向に沿った領域のうち、シリンダブロック１とシリンダヘッドとを組み付けるためのヘッドボルト（図示せず）がそれぞれ螺合される複数のボルト穴の隣り合うボルト穴間の領域に設けられてもよい。
【００２２】
本実施形態のオープンデッキ型シリンダブロック１は、薄肉部５４にはシリンダライナ２０が存在しないため、薄肉部５４に応力（ヘッドボルトの締付力に起因した応力等）が作用した場合、その応力により薄肉部５４が変形したとしても、シリンダライナ２０が変形することを抑制でき、シリンダライナ２０の真円度を確保できる。シリンダボア１２のうち最も高精度な真円度を要するシリンダライナ２０の真円度を確保できることで、シリンダボア１２とピストンリング３（トップリング３１及びセカンドリング３２）との間の気密性を確保でき、ブローバイガス量を低減できる。またシリンダボア１２内面に付着する潤滑油をピストンリング３（オイルリング３３）でかき落とすことができる。
【００２３】
また、上記オープンデッキ型シリンダブロック１は、内燃機関の運転時に壁部５０に生じる温度勾配に対応して、厚肉部５２及び薄肉部５４を設けているため、厚肉部５２の過度の冷却を抑制すると共に、薄肉部５４を効率的によく冷却でき、壁部５０をその長手方向にほぼ一様に冷却できる。また、厚肉部５２の剛性も確保できる。
【００２４】
更に、上記オープンデッキ型シリンダブロック１は、厚肉部５２にシリンダライナ２０が配置されることで、シリンダライナ２０とピストン２との摺動に伴い厚肉部５２自体が変形することを抑制でき、シリンダライナ２０の真円度を確保できる。
【００２５】
本発明はこれらの例示に限定されるものではなく、特許請求の範囲によって示され、特許請求の範囲と均等の意味及び範囲内でのすべての変更が含まれることが意図される。例えば、上述した実施形態において、以下の変更が可能である。
【００２６】
（１）薄肉部５４は、図２に示すように、厚肉部５２からデッキ面１０ｕに向かって暫時厚さが薄くなるように構成してもよい。なお、図２では、薄肉部５４の形状が上述した実施形態と異なり、それ以外の構成については同じである。図１及び図２において、同一符号は同一名称物を示す。薄肉部５４は厚さが薄いため、機械加工時にコバ欠けが発生し易いが、薄肉部５４を上述したように厚肉部５２からデッキ面１０ｕに向かって暫時厚さが薄くなるような構成とすることで、局所的に薄くなる領域（図１における均一領域５４ａ）がなく、壁部５０の開口の外周縁に直角の角部を有さないため、コバ欠けが発生し難い。
【００２７】
（２）厚肉部５２の内面の全面をシリンダライナ２０により形成してもよい。つまり、厚肉部５２と薄肉部５４との境界を、シリンダライナ２０のデッキ面側端部２０ｕと同じ位置にしてもよい。
【符号の説明】
【００２８】
１  オープンデッキ型シリンダブロック
１０  シリンダブロック本体部    １０ｕ  デッキ面
１２  シリンダボア
１４  ウォータジャケット
２０  シリンダライナ    ２０ｕ  デッキ面側端部
５０  壁部
５２  厚肉部
５４  薄肉部
５４ａ  均一領域    ５４ｂ  傾斜領域
２  ピストン
３  ピストンリング
３１  トップリング
３２  セカンドリング
３３  オイルリング
【図１】
2018071429.tif 000003
【図２】
2018071429.tif 000004